(57)【要約】【課題】吊り具の主杆をほぼその全長にわたって、連続的にカーテンに固定でき、確実にカーテンに対する揺動や変形を防止できるカーテン吊り具とこの吊り具を用いたカーテンを提供する。【解決手段】吊り具本体６の主杆部８に、縦方向にほぼ全長にわたって伸びる受入空間１０と、この受入空間１０を後面側に開放する割溝１１とを設ける。主杆部８の下端付近から延出して受入空間１０内を上方へ伸び、主杆部８の上端付近で終結する挿入杆部９を設ける。受入空間１０内に、カーテン布２に設けられた縦方向筒状部４を受け入れ、かつ受入空間１０内において、筒状部４に下方から挿入杆９を挿入して筒状部４を膨らませ、割溝１１から後方へ抜け出ないようにすることで、吊り具３をカーテン布２に固定する。【選択図】　図１
2004121572.tif 000002
【特許請求の範囲】
【請求項１】
縦方向に伸びカーテン布に密接して固定される後面とその反対側の前面とを有する本体と、本体の前面側から突出したフック体とを具備する合成樹脂製のカーテン吊り具において、
前記本体は、カーテン布に設けられた縦方向筒状部を受け入れるための縦方向にほぼ全長にわたって伸びる受入空間と、この受入空間を後面側に開放する割溝とを備える主杆部と、主杆部の下端付近から延出して前記受入空間内を上方へ伸びて主杆部の上端付近で終結する挿入杆部とを具備することを特徴とするカーテン吊り具。
【請求項２】
前記本体と前記フック体とが別体に構成され、かつ前記本体に対して前記フック体が下方にラチェット式に移動自在に係合していることを特徴とする請求項１に記載のカーテン吊り具。
【請求項３】
前記本体と前記フック体とが一体に構成されていることを特徴とする請求項１に記載のカーテン吊り具。
【請求項４】
上縁部に横方向に所定間隔をおいて設けられた複数の縦方向の筒状部を有するカーテン布と、このカーテン布の各筒状部に取り付けられる吊り具とを具備し、
前記吊り具は、縦方向に伸びカーテン布に密接して固定される後面とその反対側の前面とを有する本体と、本体の前面側から突出したフック体とを具備し、
前記吊り具の本体は、前記カーテン布の筒状部を受け入れるための縦方向にほぼ全長にわたって伸びる受入空間と、この受入空間を後面側に開放する割溝とを備える主杆部と、主杆部の下端付近から延出して前記受入空間内を上方へ伸びて主杆部の上端付近で終結する挿入杆部とを具備することを特徴とするカーテン。
【請求項５】
前記カーテン布の筒状部が、地布の上縁部に形成されたひだ縫い部であることを特徴とする請求項４に記載のカーテン。
【請求項６】
前記カーテン布の筒状部が、地布の上縁部に縫い付けられたテープ上に形成されたものであることを特徴とする請求項４に記載のカーテン。
【発明の詳細な説明】
【０００１】
【発明の属する技術分野】
この発明は、カーテンランナーにカーテンの上縁部を吊り止めるために、カーテンに装着される合成樹脂製の吊り具と、この吊り具を装着したカーテンに関するものである。
【０００２】
【従来の技術】
従来の合成樹脂製カーテン吊り具として、例えば特許文献１に記載されたものが知られている。このカーテン吊り具は、フックを備えた主杆と主杆の下端後部から上方へ延出する挿入杆とを備えたもので、カーテンの上縁部に形成されたひだ部に挿入杆を下方から挿入してカーテンに固定する構成である。挿入杆がひだ内で揺動したり、主杆と挿入杆とがねじれたりして、主杆がカーテンに対して左右に揺動することを防止し、また主杆と挿入杆とがカーテンの重みで撓んで両者の間が開くのを防止する目的で、主杆の後部に、主杆に向かって突出する貫通ピンが設けられる一方、挿入杆には、貫通ピンを受け入れて弾性的に拘束する凹所を設けられている。
【特許文献１】実開平８−１４０８２８号公報
【０００３】
【発明が解決しようとする課題】
この発明は、主杆をほぼその全長にわたって、連続的にカーテンに固定することができ、より確実にカーテンに対する揺動や変形を防止することができるカーテン吊り具とこの吊り具を用いたカーテンを提供することを課題としている。
【０００４】
【課題を解決するための手段】
上記課題を解決するため、この発明においては、吊り具本体６の主杆部８に、縦方向にほぼ全長にわたって伸びる受入空間１０と、この受入空間１０を後面側に開放する割溝１１とを設けると共に、主杆部８の下端付近から延出して受入空間１０内を上方へ伸び、主杆部８の上端付近で終結する挿入杆部９を設けた。受入空間１０内に、カーテン布２に設けられた縦方向筒状部４，１４を受け入れ、かつ受入空間１０内において、筒状部４，１４に下方から挿入杆９を挿入して筒状部４を膨らませ、割溝１１から後方へ抜け出ないようにすることで、吊り具３をカーテン布２に固定する。
【０００５】
【発明の実施の形態】
図面を参照して本発明の実施の形態を説明する。図１は吊り具を取り付けたカーテンの斜視図、図２はカーテンに取り付けた吊り具の縦断面図、図３は図２におけるＩＩＩ−ＩＩＩ断面図、図４は吊り具の正面図、図５は吊り具の平面図、図６は図５におけるＶＩ−ＶＩ断面図、図７は吊り具の側面図、図８は他の実施形態のカーテンに取り付けた吊り具の斜視図である。
【０００６】
図１乃至図８において、カーテン１は、カーテン布２の上縁部に横方向に相互間隔をおいて複数の吊り具３を取り付けてなる。カーテン布２の上縁部には、横方向に相互間隔をおいて複数のひだ部４が形成されている。ひだ部４は、カーテン布２の上縁部に筒状に単一のひだを取り、縦縫い５することによって形成される。
吊り具３は、弾性合成樹脂製で、縦方向に伸びる本体６と、本体の前面側から突出したフック体７とを具備する。本体６は、後面側においてカーテン布２に密接して固定される。フック体７は、本体６に対して下方へラチェット式に相対移動自在である。
【０００７】
本体６は、主杆部８と挿入杆部９とを具備する。主杆部８は、ほぼ四角柱状で、その内部を縦方向にほぼ全長にわたって伸びる横断面矩形の受入空間１０と、この受入空間１０を後面側に開放する縦方向の割溝１１とを備える。主杆部８の下端には、受入空間１０を閉じる底壁１２が形成されている。挿入杆部９は、底壁１２の中央から延出し、受入空間１０内を上方へ伸びて主杆部８の上端からやや突出した位置で終結する。挿入杆部９は、全長にわたり割溝１１の幅寸法と同等以上の直径を有する。受入空間１０は、カーテン布２に設けられた縦方向の筒状部であるひだ部４を受け入れることができ、また挿入杆部９は、ひだ部４内に下方から挿入することができる。
【０００８】
吊り具３をカーテン布２に取り付ける場合には、ひだ部４の折り返し片４ａの下縁を開いてここへ挿入幹部９の上端部を挿入し、縦縫い部５が割溝１１に滑り込むように、上方へ引き上げる。こうすると、ひだ部４は受入空間１０内に引き込まれ、かつひだ部４内に挿入杆部９が挿入される。受入空間１０内ににおいてひだ部４内に挿入杆部９が挿入されると、ひだ部４が挿入杆部９によって膨らみ、割溝１１から抜け出ることができない。従って、主杆部８は全長にわたって確実にカーテン布２に固定される。
【０００９】
図８に示す他の実施形態においては、カーテン布２の上縁部に横方向に縫い付けられたテープ１３上に筒状部１４が形成されている。テープ１３は編成又は織成により筒状部１４をテープ基体と一体に形成される。
【００１０】
【発明の効果】
以上のように、本発明は、吊り具３の主杆６をほぼその全長にわたって、連続的にカーテン布２に固定することができ、その結果、確実にカーテンに対する揺動を防止し、また吊り具の変形やこれに伴う離脱を防止することができる。そして、この吊り具３を取り付けたカーテン１は、吊り具３が揺動したり変形したりしないので長期にわたって、美しい吊り姿を維持することができる。
【図面の簡単な説明】
【図１】吊り具を取り付けたカーテンの斜視図である。
【図２】カーテンに取り付けた吊り具の縦断面である。
【図３】図２におけるＩＩＩ−ＩＩＩ断面図である。
【図４】吊り具の正面図である。
【図５】吊り具の平面図である。
【図６】図５におけるＶＩ−ＶＩ断面図である。
【図７】吊り具の側面図である。
【図８】他の実施形態のカーテンに取り付けた吊り具の斜視図である。
【符号の説明】
１　　カーテン
２　　カーテン布
３　　吊り具
４　　ひだ部（筒状部）
４ａ　返し片
５　　縦縫い部
６　　吊り具本体
７　　フック体
８　　主杆部
９　　挿入杆部
１０　　受入空間
１１　　割溝
１２　　底壁
１３　　テープ
１４　　筒状部
【図１】
2004121572.tif 000003
【図２】
2004121572.tif 000004
【図３】
2004121572.tif 000005
【図４】
2004121572.tif 000006
【図５】
2004121572.tif 000007
【図６】
2004121572.tif 000008
【図７】
2004121572.tif 000009
【図８】
2004121572.tif 000010